【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
強度が補強され、電力生産機能を有する貯水槽用貯留構造体システムであって、
貯水槽の底部の地面に配置される第１のベース部と前記第１のベース部に一体に形成され、垂直に立てられた第１の筒体部を備えた第１のユニット部材と、
前記貯水槽の天井に配置されて土砂に覆われる第２のベース部と前記第２のベース部に垂直に突出して立てられた第２の筒体部を備えた第２のユニット部材と、
前記第１のユニット部材と前記第２のユニット部材の上下組み立てによって形成された前記筒体部の内部に垂直強度を補強するために設けられた補強柱と、
前記補強柱の内部に供給された水を利用して電力を生産する電力生産装置とを含むことを特徴とする貯水槽用貯留構造体システム。
【請求項２】
前記補強柱は、上段部分柱、少なくとも一つ以上の中間部分柱、および下段部分柱が相互に連結された形態でなることを特徴とする請求項１に記載の貯水槽用貯留構造体システム。
【請求項３】
前記上段部分柱には、前記貯水槽の天井を支える上段プレートが設けられ、
前記下段部分柱には、前記貯水槽の底部に支持される下段プレートが設けられることを特徴とする請求項２に記載の貯水槽用貯留構造体システム。
【請求項４】
前記上段部分柱、前記中間部分柱、および前記下段部分柱は、ねじ結合により連結され、
前記中間部分柱は長さが調節可能であることを特徴とする請求項２に記載の貯水槽用貯留構造体システム。
【請求項５】
前記電力生産装置は、
水素と酸素の電気化学反応によって電気を生成する電気発生部と、
前記電気発生部の電気生成時に発生する熱を冷却するための冷却部と、
前記冷却部に貯水槽の貯留された水を供給するための冷却用水供給部とを含むことを特徴とする請求項１乃至４の何れか一項に記載の貯水槽用貯留構造体システム。
【請求項６】
前記電力生産装置は、
前記補強柱の内部に流入される水をフィルタリングするためのフィルタと、
前記電気発生部を含むスタックモジュールと、
前記フィルタによってフィルタリングされた水を利用し、水素を生成して前記スタックモジュールに供給する触媒モジュールとをさらに含むことを特徴とする請求項５に記載の貯水槽用貯留構造体システム。
【請求項７】
前記電力生産装置は、
水素を含む燃料を供給する燃料供給部と、
前記燃料供給部から供給された燃料から水素を得て前記電気発生部に供給する改質部とをさらに含むことを特徴とする請求項５に記載の貯水槽用貯留構造体システム。
【請求項８】
前記電力生産装置は、
水供給部から供給された水と電力供給部から供給された電気を利用して水素を生成させる水素生成スタック部と、
前記水素生成スタック部で生成された水素を貯蔵する水素貯蔵部とをさらに含むことを特徴とする請求項６に記載の貯水槽用貯留構造体システム。
【請求項９】
前記電力供給部の充電用バッテリーには、風力または太陽電池によって生成された電力が充電されることを特徴とする請求項８に記載の貯水槽用貯留構造体システム。
【手続補正２】
【補正対象書類名】明細書
【補正対象項目名】００８９
【補正方法】変更
【補正の内容】
【００８９】
本発明は、雨水などを貯留する貯水槽用貯留構造体から電力を生産することができる貯水槽用電力生産装置と、垂直方向および水平方向のねじり強度が補強されて、電力生成装置を備えた貯水槽用貯留構造体システムに利用可能である。
以下に、出願当初の特許請求の範囲に記載の事項を、そのまま、付記しておく。
［１］  雨水または用水を地下に貯留するための貯水槽と、
前記貯水槽の内部に貯留された水を利用して電気を生成する電気発生部と、
前記電気発生部の電気生成時に発生する熱を冷却するための冷却部と、
前記冷却部に前記貯水槽の貯留された水を供給するための冷却用水供給部とを含むことを特徴とする貯水槽用電力生産装置。
［２］  前記貯水槽に貯留された水から前記電気発生部に流入される水をフィルタリングするためのフィルタと、
前記電気発生部を構成するスタックモジュールと、
前記フィルタによってフィルタリングされた水を利用し、水素を生成して前記スタックモジュールに供給する触媒モジュールとをさらに含むことを特徴とする［１］に記載の貯水槽用電力生産装置。
［３］  前記触媒モジュールは、触媒がプレート状からなって配置されているもの、または、触媒として水素化物粉末と酸性物粉末からなる混合粉末を利用することを特徴とする［２］に記載の貯水槽用電力生産装置。
［４］  水素を含む燃料を供給する燃料供給部と、
前記燃料供給部から供給された燃料から水素を得て前記電気発生部に供給する改質部とをさらに含むことを特徴とする［１］に記載の貯水槽用電力生産装置。
［５］  スタック用水供給部から供給された水と電力供給部から供給された電気を利用して水素を生成させる水素生成スタック部と、
前記水素生成スタック部で生成された水素を貯蔵する水素貯蔵部とをさらに含むことを特徴とする［１］に記載の貯水槽用電力生産装置。
［６］  前記電気発生部は、単位セルが複数積層されて形成される燃料電池型スタック構造であることを特徴とする［１］に記載の貯水槽用電力生産装置。
［７］  前記燃料電池型スタック構造は、円筒内に配置される場合、螺旋形または円柱形であることを特徴とする［６］に記載の貯水槽用電力生産装置。
［８］  前記冷却部で暖められた水を家庭やビルの温水管や暖房管に送るための熱活用温水管をさらに含むことを特徴とする［１］に記載の貯水槽用電力生産装置。
［９］  強度が補強され、電力生産機能を有する貯水槽用貯留構造体システムであって、
貯水槽の底部の地面に配置される第１のベース部と前記第１のベース部に一体に形成され、垂直に立てられた第１の筒体部を備えた第１のユニット部材と、
前記貯水槽の天井に配置されて土砂に覆われる第２のベース部と前記第２のベース部に垂直に突出して立てられた第２の筒体部を備えた第２のユニット部材と、
前記第１のユニット部材と前記第２のユニット部材の上下組み立てによって形成された前記筒体部の内部に垂直強度を補強するために設けられた補強柱と、
前記補強柱の内部に供給された水を利用して電力を生産する電力生産装置とを含むことを特徴とする貯水槽用貯留構造体システム。
［１０］  前記補強柱は、上段部分柱、少なくとも一つ以上の中間部分柱、および下段部分柱が相互に連結された形態でなることを特徴とする［９］に記載の貯水槽用貯留構造体システム。
［１１］  前記上段部分柱には、前記貯水槽の天井を支える上段プレートが設けられ、
前記下段部分柱には、前記貯水槽の底部に支持される下段プレートが設けられることを特徴とする［１０］に記載の貯水槽用貯留構造体システム。
［１２］  前記上段部分柱、前記中間部分柱、および前記下段部分柱は、ねじ結合により連結され、
前記中間部分柱は長さが調節可能であることを特徴とする［１０］に記載の貯水槽用貯留構造体システム。
［１３］  前記電力生産装置は、
水素と酸素の電気化学反応によって電気を生成する電気発生部と、
前記電気発生部の電気生成時に発生する熱を冷却するための冷却部と、
前記冷却部に貯水槽の貯留された水を供給するための冷却用水供給部とを含むことを特徴とする［９］乃至［１２］の何れか一項に記載の貯水槽用貯留構造体システム。
［１４］  前記電力生産装置は、
前記補強柱の内部に流入される水をフィルタリングするためのフィルタと、
前記電気発生部を含むスタックモジュールと、
前記フィルタによってフィルタリングされた水を利用し、水素を生成して前記スタックモジュールに供給する触媒モジュールとをさらに含むことを特徴とする［１３］に記載の貯水槽用貯留構造体システム。
［１５］  前記電力生産装置は、
水素を含む燃料を供給する燃料供給部と、
前記燃料供給部から供給された燃料から水素を得て前記電気発生部に供給する改質部とをさらに含むことを特徴とする［１３］に記載の貯水槽用貯留構造体システム。
［１６］  前記電力生産装置は、
水供給部から供給された水と電力供給部から供給された電気を利用して水素を生成させる水素生成スタック部と、
前記水素生成スタック部で生成された水素を貯蔵する水素貯蔵部とをさらに含むことを特徴とする［１４］に記載の貯水槽用貯留構造体システム。
［１７］  前記電力供給部の充電用バッテリーには、風力または太陽電池によって生成された電力が充電されることを特徴とする［１６］に記載の貯水槽用貯留構造体システム。